(57)【要約】【課題】騒音を小さくすることができるとともに、モータ全高を小さくし、さらに、製造コストを低減すること。【解決手段】筐体２０と、筐体２０からその両端部を突出させて配置されるとともに、筐体２０に軸受４２，５２を介して回転自在に設けられたシャフト６０と、筐体２０外部で、シャフト６０のファン取付部６２に嵌合された外扇ファン７０と、ファン取付部６２外周面に内径側に向けて設けられた溝部６２ａと、この溝部６２ａに配置されたＯリング６４とを備えている。【選択図】図２
2011035950.tif 000002
【特許請求の範囲】
【請求項１】
筐体と、
この筐体からその両端部を突出させて配置されるとともに、上記筐体に軸受を介して回転自在に設けられたシャフトと、
上記筐体外部で、上記シャフトの外周面に嵌合されたファンと、
上記外周面に内径側に向けて設けられた溝部と、
この溝部に配置されたＯリングとを備えていることを特徴とする電動機の防水構造。
【発明の詳細な説明】
【技術分野】
【０００１】
本発明は、屋外に設置されるポンプ等を駆動する電動機の防水構造に関し、特に防水性を向上させる技術に関する。
【背景技術】
【０００２】
屋外に設置されるポンプ等を駆動する電動機においては、筐体内の通電部分に水滴が浸入することを防ぐために防水構造が必要となる。一方、筐体自体を冷却を促進するため、シャフトに外扇ファンを取り付ける構造がとられている場合がある。シャフトは筐体から突出しているため、シャフトと筐体の隙間から水滴が浸入する虞があることから、防水構造を有している（例えば、特許文献１，２参照）。
【０００３】
図３は、このような防水構造を有する電動機の一例を示す説明図である。図３中１００は筐体、１１０はシャフト、１２０は外扇ファン、１３０は防水カバーを示している。この電動機では、筐体１００内への水滴の浸入するため、筐体１００のシャフト１１０貫通部にオイルシール１４０を設けている。
【０００４】
また、図４は防水構造を有する電動機の別の一例を示す説明図である。図４中２００は筐体、２１０はシャフト、２２０は外扇ファン、２３０は防水カバーを示している。この電動機では、筐体２００内への水滴の浸入するため、筐体２００の開口部２０１と外扇ファン２２０との間にパッキン２４０を設けている。
【先行技術文献】
【特許文献】
【０００５】
【特許文献１】特開平０９−２６１９０６号公報
【特許文献２】特開２００２−０３４１９９号公報
【特許文献３】特開２００５−００２９７７号公報
【発明の概要】
【発明が解決しようとする課題】
【０００６】
上述した電動機の防水構造では、次のような問題があった。すなわち、オイルシールを設ける構造では、オイルシール１４０とシャフト１１０が摺動するため騒音が大きくなった。一方、パッキン２４０を設ける構造では、パッキン２４０の設置分だけスペースが必要となり、シャフト２２０の軸方向に寸法が必要となる。このため、シャフト２２０の全長が長くなり、モータの全高が大きくなるという問題があった。
【０００７】
また、オイルシールやパッキンを設ける構造にあっては構造が複雑になり、製造コストが高くなるという問題があった。
【０００８】
そこで本発明は、騒音を小さくすることができるとともに、モータ全高を小さくし、さらに、製造コストを低減できる電動機の防水構造を提供することを目的としている。
【課題を解決するための手段】
【０００９】
前記課題を解決し目的を達成するために、本発明の電動機の防水構造は次のように構成されている。
【００１０】
筐体と、この筐体からその両端部を突出させて配置されるとともに、上記筐体に軸受を介して回転自在に設けられたシャフトと、上記筐体外部で、上記シャフトの外周面に嵌合されたファンと、上記外周面に内径側に向けて設けられた溝部と、この溝部に配置されたＯリングとを備えていることを特徴とする。
【発明の効果】
【００１１】
本発明によれば、騒音を小さくすることができるとともに、モータ全高を小さくし、さらに、製造コストを低減できる。
【図面の簡単な説明】
【００１２】
【図１】本発明の一実施の形態に係る電動機を一部切欠して示す側面図。
【図２】同電動機の要部を一部切欠して示す側面図。
【図３】従来の電動機の防水構造の一例を示す説明図。
【図４】従来の電動機の防水構造の他の例を示す説明図。
【発明を実施するための形態】
【００１３】
図１は本発明の一実施の形態に係る電動機の防水構造を有する電動機１０を一部切欠して示す側面図、図２は同電動機１０の要部を一部切欠して示す側面図である。
【００１４】
電動機１０は、筐体２０を備えている。筐体２０の外壁面には、フレーム２１を介して電気箱２２が取り付けられている。
【００１５】
筐体２０は、筒体３０と、この筒体３０の上下開口を蓋する蓋体４０，５０とを備えている。筒体３０の内壁面には、ステータ３１が取り付けられている。ステータ３１には、通電されることにより電磁力を発生するコイルが設けられている。
【００１６】
蓋体４０，５０の中央部には開口部４１，５１がそれぞれ形成されている。開口部４１，５１の内径は、後述するシャフト６０の外径より僅かに大きく形成されている。蓋体４０，５０の内側面には、それぞれ軸受４２，５２が設けられている。軸受４２，５２によってシャフト６０が回転自在に取り付けられている。
【００１７】
シャフト６０は、図１上下方向に延設されている。シャフト６０の中央部には永久磁石等を有するロータ６１が取り付けられており、ロータ６１は上述したステータ３１に対向配置されている。
【００１８】
シャフト６０の図１中上端部であって筐体２０の外周面には、外扇ファン７０を着脱自在に取り付けられるファン取付部６２が設けられている。シャフト６０の図１中下端部には、外部機器へ回転力を伝達するための出力部６３が設けられている。
【００１９】
外扇ファン７０は、円環状のリング部７１と、このリング部７１から外周方向に向けて取り付けられた羽根７２とを備えている。
【００２０】
ファン取付部６２の外周面には、外扇ファン７０のリング部７１が嵌合している。また、ファン取付部６２には、図２に示すように、外周面から内径側に向けて溝６２ａが形成されている。溝６２ａの内部にはＯリング６４が装着されている。
【００２１】
筐体２０の上部には、有底筒状の防水カバー８０が取り付けられている。防水カバー８０の内壁面と筐体２０の外壁面との間には隙間があり、外気が十分に取り入れられるようになっている。
【００２２】
このように構成された電動機１０では、ステータ３１のコイルに通電することで、ロータ６１に回転力が生じる。これに伴って、シャフト６０が回転し、出力部６３から回転力を出力する。
【００２３】
一方、ファン取付部６２側に設けられた外扇ファン７０によって筐体２０に風を送り、筐体２０を冷却する。
【００２４】
このとき、外扇ファン７０の上方からシャフト６０の表面に水滴が付着し、外扇ファン７０のリング部７１とシャフト６０との間に水が浸入しても、Ｏリング６４により、防水することができ、シャフト６０の下方、すなわち筐体２０の内部に水が浸入することがない。このため、ステータ３１等の通電部に水が浸入することによる不具合を防止することができる。
【００２５】
また、防水機能を有するＯリング６４は、他の部材と摺動しないため、騒音は発生しない。また、Ｏリング６４を設ける位置もリング部７１が嵌合する位置であるため、新たに設置スペースを設ける必要が無く、モータ全高を大きくすることはない。さらに、オイルシールやパッキンを設ける構造に対して構造が単純で製造コストを低減することができる。
【００２６】
なお、本発明は前記実施の形態に限定されるものではなく、本発明の要旨を逸脱しない範囲で種々変形実施可能であるのは勿論である。
【符号の説明】
【００２７】
１０…電動機、２０…筐体、３１…ステータ、６０…シャフト、６１…ロータ、６２…ファン取付部、６２ａ…溝、６４…Ｏリング、７０…外扇ファン、７１…リング部、８０…防水カバー。
【図１】
2011035950.tif 000003
【図２】
2011035950.tif 000004
【図３】
2011035950.tif 000005
【図４】
2011035950.tif 000006